(57)【特許請求の範囲】
【請求項１】
ほぼ円形の吊し方式の物干し具において、吊し具を取り付けたリングの外周部が、幅が１〜７ミリで長さが３０〜８０ミリの溝を等間隔に設けた薄板で形成され、該溝に対応する上部に該溝の幅より約２〜１０ミリ広い上部押さえを具備することにより、該溝及び上部押さえで洗濯物を押さえ挟持することを特徴とする物干し具。
【発明の詳細な説明】
【技術分野】
【０００１】
本発明は、ピンチを使わずに、洗濯物の大小種類にかかわらず簡単に干すことができる物干し具に関するものである。
【背景技術】
【０００２】
従来の物干し具は概ねピンチを使用する。
【０００３】
物干し具に関しては、特許や実用新案や意匠届など数多く出願されているが、ピンチを使用しないものの代表的なものとしては以下の文献が上げられる。
【特許文献１】実開昭５３−１２４１３４公報
【特許文献２】実開昭４７−２３３３公報
【特許文献３】実開昭４７−２８２２７公報
【特許文献４】特開２００４−２０２１５２公報
【発明の開示】
【発明が解決しようとする課題】
【０００４】
従来一般的に使用されている物干し具は、洗濯物を挟む手段として一般的にはピンチを使用しているが、ピンチにはバネがついているため、握力の弱い人々や手指に障害を持つ人々にとっては操作が難しく、また片手での操作も難しかった。挟むための手段としてピンチを使用しないでしっかりと干すことができるものがなく、その改善が求められていた。
【０００５】
文献１は、ピンチの代わりに切り溝に挟んで留めたり吊したりして干すものである。切り溝の幅によっては洗濯物に傷を付けたり、また脱落の心配も否めない。
【０００６】
文献２はピンチを直接リングに取り付けたもので、挟み部に洗濯物を挟んで小物などを留めて干すものだが、しっかり留めて干すためにはピンチ同様の弾性のあるハサミを用いなければならず、弾性が小さいとしっかりと留めることは難しい。
【０００７】
文献３は、挟み具と丸棒の間に洗濯物を差し込んで狭持するものだが、小物に対応するものであり、また構造が複雑で難しい。
【０００８】
文献４は、小物や衣類などをソフトに掛けたり吊り下げたりして室内干しを意識したもので、しっかりとした脱落防止は難しい。
【０００９】
本発明は上記の問題を解決し、誰でも簡単に使用できるほぼ円形の吊し方式物干し具を開発することを課題とした。
【課題を解決するための手段】
【００１０】
上記課題を解決するために本発明の物干し具は、吊し具を取り付けたリングの外周部が、幅が１〜７ミリで長さが３０〜８０ミリの溝を等間隔に設けた薄板で形成され、該溝に対応する上部に該溝の幅より約２〜１０ミリ広い上部押さえを具備することにより、該溝及び上部押さえで洗濯物を押さえ挟持することを特徴とする。
【発明の効果】
【００１１】
本発明の物干し具は、軽量簡単な構造で使いやすく、洗濯物の種類や大小にかかわらず概ね対応できる。挟み込みも、取り外しも簡単にできる。さらに全体を平型にすることにより重ね置きができて、保管に場所をとらない。
【発明を実施するための最良の形態】
【００１２】
本発明の実施の形態を実施例にもとづき、図面を参照しつつ以下詳細に説明する。実施例の製作に先立ち、本発明のリングの外周部の大きさや素材などについて検討した。
【００１３】
最初に、厚さおよそ０．７５ミリの硬質のプラスチック板を使用したところ、強度が不足することがわかった。そこで、厚さがおよそ１．２ミリの硬質のプラスチック板を使用したところ、強度不足は解消することができた。
【実施例１】
【００１４】
図１は本発明の実施の一例の説明図である。実施例１の試作にあたっては、市販の物干し具のフック８付きリング７を利用したが、その外径は約１８０ミリであり、幅は約５ミリであったので内径は約１７０ミリであった。一方本体１の外周部は約１．２ミリの厚さの硬質プラスチック板をドーナツ型に切り抜いて製作した。その外側の直径は約２４０ミリとし、内側の直径は約１７０ミリにした。さらに、内側にリング７との固定代約５ミリを残して、中心角約３０度毎に、幅が約２ミリの溝３を１２本設けた。溝３と溝３の間には、靴下などの干し物を挿入する本体挿入部２が１２個できた。しかしながら、溝３と本体挿入部２の長さは、直径が約２４０ミリのところで約３０．０ミリになった。この長さでは使えなくはないが、更に使いやすくするために、本体挿入部２の外周に溝３と溝３の間隔約６０ミリを直径とする半円を付け加えて、本体挿入部２の最先端の長さを６０．０ミリにした。また、乾燥を良くするためは本体挿入部２には風を通すための直径約２０ミリの開口部４を設けた。
【００１５】
押さえ板５は、本体１と同じ材料を使用したが、最先端の外周部の直径が約３００ミリになるので、押さえ板５の長さは、本体挿入部２の先端より約１０ミリ短くするために、直径約２８０ミリの円を切り取り、中心角約３０度の間隔に幅約１０ミリで長さが約５０ミリの押さえ板押さえ部６を１２個設けた。次いで直径約１７０ミリの同心円を切り抜いて押さえ板５を製作した。こうしてできた押さえ板５と本体１とを、押さえ板押さえ部６が溝３をきちんと覆うように重ね合わせて、中央で吊し用フック８を持つ既製プラスチック製のリング７と、本体１の内周部と、押さえ板５内周部を重ねあわせて固定した。
【実施例２】
【００１６】
次に、実施例１より少し大きい物干し具を試作した。試作にあたっては、市販されている丸形吊し方式物干し具を分解して、外周直径約３３０ミリ、内周直径約３００ミリのプラスチック製のリング７を使用した。実施例１と同様に厚さ約１．２ミリの硬質のプラスチック板を、リング７に合わせて本体１の内周直径は約３００ミリとした。本体１の外周の長さは、幅が約６０ミリの本体挿入部２を中心角約１８度間隔に２０個設け、約２ミリ幅の溝３を２０本設けると、外周の長さは約１２４０ミリとなる。従って直径は約３９５ミリであり、リング７の内周直径の３００ミリを引くと９５ミリとなる。左右に振り分けるとそれぞれの長さは９５ミリの半分になり、固定するためのリング７部分の幅を約１５ミリとすると、本体挿入部２と溝３の長さは約３２．５ミリと算出できた。実施例１と同様に本体挿入部２の外縁に直径約６０ミリの半円を付け加えて、本体挿入部２の長さを約６２．５ミリにした。その結果、本体１の直径は約４５５ミリになった。さらに実施例１と同様、本体挿入部２に直径約２０ミリの通風用の開口部４を設けた。
【００１７】
押さえ板５の大きさは外周両側に本体挿入部２より少し短い約５０ミリの押さえ板押さえ部６と、リング７と本体１を密着固定するための重ね部分約３０ミリ、さらに内周直径約３００ミリを加えた直径約４３０ミリとなる。本体１と同様に中心角約１８度の間隔で、幅約１０ミリ、長さ約５０ミリの押さえ板押さえ部６を２０個できた。
【００１８】
押さえ板５は本体１と同じ材料を使用した。型紙に従って直径約４３０ミリの円を切り取り、中心角約１８度の間隔で幅約１０ミリ、長さ約５０ミリの押さえ板押さえ部６を２０個残して切り抜いた。次いで直径約３００ミリの同心円を切り抜いた。こうしてできた押さえ板５と本体１とを、押さえ板押さえ部６が溝３をきちんと覆うように重ね合わせ、リング７に重ねて、２０カ所をビスとナットで固定した。
【００１９】
次に本発明の物干し具の使い方を順序立てて説明する。本発明の物干し具に靴下を干す場合は、本体挿入部２を押さえ込むようにして押さえ板押さえ部６との間に間隙を作り、靴下の口を広げて本体挿入部２に差し込む。タオルやシャツなどを干す場合は、洗濯物を溝３の下方より上方へ通し、押さえ板押さえ部６に巻き込んだ後、再度溝３の上方より下方へ通して、洗濯物を横挟みして洗濯物を下に押さえつけ、しっかりとめる。はずすときは、洗濯物を真横に引っ張るとスムーズにはずせる。
【００２０】
本発明の物干し具は、実施例に挙げた物だけでなく、洗濯物の種類に応じて、色々な素材・厚み・大きさに作ることが出来る。
【図面の簡単な説明】
【００２１】
【図１】本発明の物干し具の説明図
【図２】本発明の使用状態を示す斜視図
【符号の説明】
【００２２】
１    本体
２    本体挿入部
３    溝
４    開口部
５    押さえ板
６    押さえ板押さえ部
７    リング
８    フック
【図１】
0004635137.tif 000002
【図２】
0004635137.tif 000003